【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
Ｃ1〜Ｃ8アルデヒドと３〜１０個の窒素原子を有するポリエチレンポリアミン化合物との反応生成物を含むアミン‐エポキシ硬化剤。
【請求項２】
前記反応生成物が、式（Ｉ）：
【化１】
2017095703.tif 000001
（式中、Ｘは水素原子、直鎖又は分岐のＣ1〜Ｃ4アルキル基、及び置換又は非置換フェニル基から選択され、Ｙ1は直接結合又は１〜８つの窒素原子を有する２価ポリエチレンポリアミン基であり、Ｒは独立に水素原子又はＣ1〜Ｃ8の直鎖、環状、及び分岐アルキル、アルケニル及びアルカリル基から選択される基である。）
による２つの窒素ヘテロ原子を有する少なくとも１種の飽和複素環式化合物を含む、請求項１に記載のアミン‐エポキシ硬化剤。
【請求項３】
前記反応生成物が、式（ＩＩ）：
【化２】
2017095703.tif 000002
（式中、Ｘは水素原子、直鎖又は分岐のＣ1〜Ｃ4アルキル基、及び置換又は非置換フェニル基から独立に選択され、Ｙ2は直接結合又は１〜７つの窒素原子を有する２価ポリエチレンポリアミン基であり、Ｒは独立に水素原子又はＣ1〜Ｃ8の直鎖、環状及び分岐アルキル、アルケニル及びアルカリル基から選択される基である。）
による３つの窒素ヘテロ原子を有する少なくとも１種の飽和縮合二環性複素環式化合物をさらに含む、請求項２に記載のアミン‐エポキシ硬化剤。
【請求項４】
Ｘ及びＲがＨである、請求項２に記載のアミン‐エポキシ硬化剤。
【請求項５】
前記Ｃ1〜Ｃ8アルデヒドがホルムアルデヒド又はパラホルムアルデヒドであり、前記３〜１０個の窒素原子を有するポリエチレンポリアミン化合物がジエチレントリアミンである、請求項２に記載のアミン‐エポキシ硬化剤。
【請求項６】
分子当たり３つ又はそれより多くの活性アミン水素を有する少なくとも１種の多官能性アミンをさらに含む、請求項２に記載のアミン‐エポキシ硬化剤。
【請求項７】
前記少なくとも１種の多官能性アミンが、脂肪族アミン；脂環式アミン；芳香族アミン；ポリ（アルキレンオキシド）ジアミン又はトリアミン；脂肪族アミン、脂環式アミン又は芳香族アミンのマンニッヒ塩基誘導体；脂肪族アミン、脂環式アミン又は芳香族アミンとダイマー脂肪族酸又はダイマー脂肪酸及び脂肪酸の混合物とのポリアミド誘導体；脂肪族アミン、脂環式アミン又は芳香族アミンと脂肪酸とのアミドアミン誘導体；脂肪族アミン、脂環式アミン又は芳香族アミンとビスフェノールＡ若しくはビスフェノールＦのグリシジルエーテル又はエポキシノボラック樹脂とのアミン付加物誘導体；並びにこれらの組み合わせからなる群より選択される、請求項６に記載のアミン‐エポキシ硬化剤。
【請求項８】
Ｃ1〜Ｃ8アルデヒドと３〜１０個の窒素原子を有するポリエチレンポリアミン化合物との反応生成物を含むアミン‐エポキシ硬化剤と、少なくとも１種の多官能性エポキシ樹脂とを含むアミン‐エポキシ組成物。
【請求項９】
前記アミン‐エポキシ硬化剤が、式（Ｉ）：
【化３】
2017095703.tif 000003
（式中、Ｘは水素原子、直鎖又は分岐のＣ1〜Ｃ4アルキル基、及び置換又は非置換フェニル基から独立に選択され、Ｙ1は直接結合又は１〜８つの窒素原子を有する２価ポリエチレンポリアミン基であり、Ｒは独立に水素原子又はＣ1〜Ｃ8の直鎖、環状、及び分岐アルキル、アルケニル及びアルカリル基から選択される基である。）
による２つの窒素ヘテロ原子を有する少なくとも１種の飽和複素環式化合物を含む、請求項８に記載のアミン‐エポキシ組成物。
【請求項１０】
式（ＩＩ）：
【化４】
2017095703.tif 000004
（式中、Ｘは水素原子、直鎖又は分岐のＣ1〜Ｃ4アルキル基、及び置換又は非置換フェニル基から独立に選択され、Ｙ2は直接結合又は１〜７つの窒素原子を有する２価ポリエチレンポリアミン基であり、Ｒは独立に水素原子又はＣ1〜Ｃ8の直鎖、環状及び分岐アルキル、アルケニル及びアルカリル基から選択される基である。）
による３つの窒素ヘテロ原子を有する少なくとも１種の飽和縮合二環性複素環式化合物をさらに含む、請求項９に記載のアミン‐エポキシ組成物。
【請求項１１】
Ｘ及びＲがＨである、請求項９に記載のアミン‐エポキシ組成物。
【請求項１２】
前記Ｃ1〜Ｃ8アルデヒドがホルムアルデヒド又はパラホルムアルデヒドであり、前記３〜１０個の窒素原子を有するポリエチレンポリアミン化合物がジエチレントリアミンである、請求項９に記載のアミン‐エポキシ組成物。
【請求項１３】
分子当たり３つ又はそれより多くの活性アミン水素を有する少なくとも１種の多官能性アミンをさらに含む、請求項９に記載のアミン‐エポキシ組成物。
【請求項１４】
前記少なくとも１種の多官能性アミンが、脂肪族アミン；脂環式アミン；芳香族アミン；ポリ（アルキレンオキシド）ジアミン又はトリアミン；脂肪族アミン、脂環式アミン又は芳香族アミンのマンニッヒ塩基誘導体；脂肪族アミン、脂環式アミン又は芳香族アミンとダイマー脂肪族酸又はダイマー脂肪酸及び脂肪酸の混合物とのポリアミド誘導体；脂肪族アミン、脂環式アミン又は芳香族アミンと脂肪酸とのアミドアミン誘導体；脂肪族アミン、脂環式アミン又は芳香族アミンとビスフェノールＡ若しくはビスフェノールＦのグリシジルエーテル又はエポキシノボラック樹脂とのアミン付加物誘導体；並びにこれらの組み合わせからなる群より選択される、請求項１３に記載のアミン‐エポキシ組成物。
【請求項１５】
請求項９に記載の組成物から得られた硬化エポキシ樹脂。
【請求項１６】
（ａ）式（Ｉ）：
【化５】
2017095703.tif 000005
（式中、Ｘは水素原子、直鎖又は分岐のＣ1〜Ｃ4アルキル基、及び置換又は非置換フェニル基から独立に選択され、Ｙ1は直接結合又は１〜８つの窒素原子を有する２価ポリエチレンポリアミン基であり、Ｒは独立に水素原子又はＣ1〜Ｃ8の直鎖、環状、及び分岐アルキル、アルケニル及びアルカリル基から選択される基である。）
による２つの窒素ヘテロ原子を有する少なくとも１種の飽和複素環式化合物を有するアミンエポキシ硬化剤と、
（ｂ）分子当たり３つ又はそれより多くの活性アミン水素を有する少なくとも１種の多官能性アミンと
の接触生成物を含む、アミン‐エポキシ硬化剤組成物。
【請求項１７】
前記少なくとも１種の多官能性アミンが、脂肪族アミン；脂環式アミン；芳香族アミン；ポリ（アルキレンオキシド）ジアミン又はトリアミン；脂肪族アミン、脂環式アミン又は芳香族アミンのマンニッヒ塩基誘導体；脂肪族アミン、脂環式アミン又は芳香族アミンとダイマー脂肪族酸又はダイマー脂肪酸及び脂肪酸の混合物とのポリアミド誘導体；脂肪族アミン、脂環式アミン又は芳香族アミンと脂肪酸とのアミドアミン誘導体；脂肪族アミン、脂環式アミン又は芳香族アミンとビスフェノールＡ若しくはビスフェノールＦのグリシジルエーテル又はエポキシノボラック樹脂とのアミン付加物誘導体；並びにこれらの組み合わせからなる群より選択される、請求項１６に記載のアミン‐エポキシ硬化剤組成物。
【請求項１８】
前記アミン硬化剤が、式（ＩＩ）：
【化６】
2017095703.tif 000006
（式中、Ｘは水素原子、直鎖又は分岐のＣ1〜Ｃ4アルキル基、及び置換又は非置換フェニル基から独立に選択され、Ｙ2は直接結合又は１〜７つの窒素原子を有する２価ポリエチレンポリアミン基であり、Ｒは独立に水素原子又はＣ1〜Ｃ8の直鎖、環状及び分岐アルキル、アルケニル及びアルカリル基から選択される基である。）
による３つの窒素ヘテロ原子を有する少なくとも１種の飽和縮合二環性複素環式化合物をさらに含む、請求項１６に記載のアミン‐エポキシ硬化剤組成物。
【請求項１９】
アミンエポキシ硬化剤と少なくとも１種の多官能性エポキシ樹脂とを反応させることを含む硬化エポキシの形成方法であって、
前記アミン‐エポキシ硬化剤が、式（Ｉ）
【化７】
2017095703.tif 000007
（式中、Ｘは直鎖又は分岐のＣ1〜Ｃ4アルキル基から独立に選択され、Ｙ1は直接結合又は１〜８つの窒素原子を有する２価ポリエチレンポリアミン基であり、Ｒは独立に水素原子又はＣ1〜Ｃ8の直鎖、環状及び分岐アルキル、アルケニル及びアルカリル基から選択される基である。）
による２つの窒素ヘテロ原子を有する少なくとも１種の飽和複素環式化合物を含む、硬化エポキシの形成方法。
【請求項２０】
式（ＩＩ）：
【化８】
2017095703.tif 000008
（式中、Ｘは水素原子、直鎖又は分岐のＣ1〜Ｃ4アルキル基、及び置換又は非置換フェニル基から独立に選択され、Ｙ2は直接結合又は１〜７つの窒素原子を有する２価ポリエチレンポリアミン基であり、Ｒは独立に水素原子又はＣ1〜Ｃ8の直鎖、環状及び分岐アルキル、アルケニル及びアルカリル基から選択される基である。）
による３つの窒素ヘテロ原子を有する少なくとも１種の飽和縮合二環性複素環式化合物をさらに含む、請求項１９に記載の方法。
【請求項２１】
Ｘ及びＲがＨである、請求項２０に記載の方法。